(57)【特許請求の範囲】
【請求項１】
上端部（１４）に配置された外周持ち運びリング（２８）と、前記上端部の縁領域に配置された少なくとも１つの栓口結合部（２２、２４）とを備え、前記栓口結合部が前記上端部に陥没しているハウジング（１８、２０）内に配置され、前記ハウジングは前記上端部の縁に向かう側で開放されていると共に、この開放側とは反対側に境界端壁（３２、３４）を有し、該端壁の両側からはハウジングの側方の境界を定める各々の壁（４０、４２）が缶体の縁へ向かう方向に延在し、前記ハウジングの側方の境界を定めている前記各壁は、各壁から前記上端部への移行部（４６）によって上部の境界が定められていると共に、各壁から前記ハウジングの底面（３６、３８）への移行部（４４）によって下部の境界が定められており、前記ハウジングの２つの側壁の上部の移行部（４６）間の間隔が、２つの下部の移行部（４４）間の間隔よりも大きく、これら２つの側壁の上部の移行部（４６）同士が缶体の縁に向かって放射状に広がっている熱可塑性材料製の栓付き缶において、前記両側壁（４０、４２）と前記上端部（１４）との間の移行部（４６）と、前記両側壁（４０、４２）と前記ハウジング底面（３６、３８）との間の移行部（４４）とが互いに非平行であると共に、前記両側壁（４０、４２）と前記上端部（１４）との間の前記両移行部（４６）が間に前記ハウジング側へ向かって１２０°以上且つ１６０°以下の角度（α）を成していることを特徴とする栓付き缶。
【請求項２】
前記両側壁（４０、４２）と前記ハウジング底面（３８）との間の両移行部（４４）が互いにほぼ平行な関係で延在していることを特徴とする請求項１に記載の栓付き缶。
【請求項３】
前記両側壁（４０、４２）と前記ハウジング底面（３６）との間の前記移行部（４４）が缶体の縁に向かって前記境界端壁（３２）から収斂していることを特徴とする請求項１に記載の栓付き缶。
【請求項４】
前記両側壁と前記ハウジング底面との間の両移行部が、缶体の縁に向かって前記境界端壁から放射状に広がっており、この広がりの範囲が前記両側壁と前記上端部との間の移行部よりも小さいことを特徴とする請求項１に記載の栓付き缶。
【請求項５】
前記両側壁（４０、４２）と前記上端部との間の２つの前記移行部（４６）間の角度（α）が１４０°以上且つ１６０°以下であることを特徴とする請求項１に記載の栓付き缶。
【請求項６】
前記栓口結合部（２２、２４）と缶の縁との間に、缶の縁に対してほぼ平行又は接線状に延在する少なくとも１つの折り目（５２）を有する変形領域が設けられていることを特徴とする請求項１に記載の栓付き缶。
【請求項７】
前記栓口結合部（２２、２４）と缶の内部の折り目（５２）との間に通路状の窪み（６０）が設けられていることを特徴とする請求項１に記載の栓付き缶。
【発明の詳細な説明】
【０００１】
本発明は請求項１の前文部分に記載したような、熱可塑性材料製の栓付き缶に関するものである。
【０００２】
この種の栓付き缶における構造では、ヨーロッパ特許公開公報ＥＰ０２９１６９５Ａ２で知られているように、缶体の内部へ少なくとも部分的に栓口結合部が突出し、缶体の内に位置する栓口結合部の一部には、缶を隅々まで空にすることができるように少なくとも１つの開口が設けられている。この設計形態の不利な点は、栓口結合部を別工程で製造し、缶体に対して別の作業操作で取り付けなければならないことである。これは、多くの場合にプラスティック製の缶の製造に使用されて、缶を単一作業操作で単一部品として製造可能とするブロー成形法の利点を享受できなくなることを意味している。
【０００３】
本発明の目的は、残留内容物を空にする点に関してヨーロッパ特許公開公報ＥＰ０２９１６９５Ａ２の缶よりも更に良好な特性を有し、且つ製造も容易な熱可塑性材料製の栓付き缶を提供することである。
【０００４】
この目的は、請求項１の特徴部分で記載した特徴を採用することによって達成される。
【０００５】
本発明は２つの移行部が、缶の縁領域に向かってその境界端壁から放射状に広がり、ハウジングの各側壁の境界を頂部と底部において各々定めており、その結果、各側壁の傾斜が縁領域へ向かって端壁から減少しているという作用に要約することができる。
【０００６】
栓付き缶は確かにヨーロッパ特許公開公報ＥＰ０５１５３９０Ｂ１で知られているが、この公知の缶では栓口結合部が配置されたハウジング又はその近傍に加えて、缶の上端部がほぼ円の一部の形状をした傾斜部即ち斜面部を有しており、この傾斜部は、栓口結合部の継目の領域内において缶の周縁部側に最低位の部分を有している。しかしながらこの設計形状からもたらされる帰結として、上端部の領域には一部で互いにほぼ直角に延在する比較的多数の曲折壁領域が含まれていることになり、缶の上端部を硬直化させることになる。上端部が押圧力及び衝撃力による荷重を受ける状態においては、この設計形状では熱可塑性材料中に手に負えない応力及び許容できない荷重が生じる結果となる。これに対して、本発明を用いると、栓口を含むハウジングの近傍において上端部には所要の機能を達成するために円の一部の形状をした余分な傾斜形状や斜面部などが不要となるので、より簡単な設計形状が与えられるものである。
【０００７】
実際に、栓口結合部が配置されるハウジングの境界を定めている両側面境界壁は、本発明による形状を有することによって、缶を空にする状態において缶の残留内容物を殆ど空にすることを同時に可能にしている。一般的に言えば、栓口結合部を含むハウジングの２つの側壁で形成される角度を増加するほど、残量を空にする度合いを向上させることもできる。一方、この角度の大きさを増加すると、積み重ね面として使用される上端部の残りの表面積が減少するので、実際にはこれら２つの要求事項によって最適条件を見い出すことが重要である。これは、例えば缶の上端部への移行部における２つの側壁間の角度を１４０°にすることで容易に可能であり、通常はこれで缶の残留内容物を実質上空にすることが可能で、またこれは全ての実際的な要求を満たすと共に、積み重ねのための表面積も十分に大きくなる。
【０００８】
本発明による缶の更に別の利点は、ハウジングの両側壁を従来のものよりも更に浅く延在させているので、ブロー成形法で缶を成形することがより容易となる点である。これは、特に以下の理由から重要なことである。即ち、通常の二分割形式のブロー成形用金型の分離面は栓口結合部、従ってこれを収容するハウジングを通っており、その結果、後工程で内部に圧力を導入して缶体を製造するためのプレフォームが、精密にこの領域近傍で分離面に沿って２つの金型部材の間にグリップされ、この部分でプレフォームが強く曲折した壁領域を形成するように、例えばハウジングの領域内で必ず変形されるからである。本発明による缶は、ハウジングの形状により、このような理由で生じる問題点を低減している。本発明による缶の金型からの取り出しも、ハウジングの領域における缶の形状によって著しく単純な手順である。
【０００９】
ハウジングの両側壁とハウジング底部との間の移行部は、相互にほぼ平行に延在させてもよい。但し、これらの移行部を缶の縁に向けてハウジングの境界端壁から多少収斂させ、結果としてハウジングの底部の寸法が缶の縁に向かって多少減少し、従って２つの移行部も栓口に多少近寄るようにすることも好ましいことであり、それにより残量を空にする作用を更に改善することができる。
【００１０】
本発明の実施例を図面に示す。
【００１１】
図示の実施例の積み重ね可能な栓付き缶１０は、缶本体部１２と、上端部１４、底端部１６を有している。上端部１４は、各々のハウジング１８、２０を構成する舟形の窪みを各々の栓口結合部２２、２４のために備えている。各結合部２２、２４は、各々の栓口２５、２６を画定している。缶１０は、上端部１４の領域に、外周に延在する持ち運びリング２８を備え、このリングは外周のカラー５８によって支持されている。外周のカラーは、上端部１４との間に上方に向かって開放された溝３０を画定している。
【００１２】
通常、缶の２つの栓口２５、２６の一方のみが残留内容物を空にする役目を果たし、これに対して他方の栓口は、例えばポンプに接続されたチューブを缶の内部に差し込んで通常通りに缶の内容物を取り出すのに用いられる。従って、そのような栓口の結合部と連携するハウジングも、通常の形状のもの、即ち、積み重ね用表面積の範囲をできるだけ広くするために比較的狭いものとすることも可能である。図示の缶は残留内容物を空にするための２つの栓口を備えており、両側のハウジングは考えられる例として互いに形状の異なるものを示している。
【００１３】
２つのハウジング１８、２０の深さは、各々の栓口結合部２２、２４が缶１０の上端部１４の上部境界表面２９を越えて上方へ突出しないような深さであり、この上部境界表面２９が同時に積み重ね用の表面として機能するようになっている。
【００１４】
缶の上端部１４の縁領域に配置された２つのハウジング１８、２０の各々は、缶の縁即ちリング２８に対面する側で開放されている。結合部２２、２４の反対側、即ちリング２８から遠い方に対面する側において、各ハウジングは各々端壁３２と３４によって境界を定められており、これら端壁はハウジングの底部３６、３８と上端部１４との間で傾斜して延在している。図面、特に図２は、端壁３２、３４に対して一方ではハウジング１８、２０の底と、他方では上端部１４との各々の間の移行部４８、５０を示しており、これら移行部は各々エッジの場合である。但し、実際上はこれらの移行部は、プラスティック材料の成形、特にブロー成形法を使用する場合は全く通常の通りに丸みを帯びた形状となる。
【００１５】
各境界端壁３２、３４の両側端には、各々のハウジングの底３６、３８と上端部１４との間にも延在する各々の側方境界壁４０、４２が隣接している。尚、この実施例においては、ハウジングの底３６、３８と各々の側方境界壁４０、４２との間、及びこれら境界壁と上端部１４との間にも丸みの付いた移行部４４が存在する。この後者の移行部は、参照符号４６で示してある。ここで、端壁３２、３４の境界を定めて互いにほぼ平行に延在する移行部４８、５０とは異なり、移行部４４、４６は、各々に関連した端壁３２、３４から始まって移行部４４と４６の間の間隔がＬ形の持ち運びリング即ち缶の縁に向かって増加するように放射状に広がる位置関係で配置されている。図２においては、特に頂部と底部で両側方境界壁４０及び４２の境界を定めるこれらの移行部４４、４６が放射状にかなり大きく広がっていて、両側方境界壁が傾斜面を形成しており、この傾斜即ち勾配はリング２８へ向かって各々関連した端壁３２、３４から減少している。従ってこの形状は、缶の縁と各栓口２６、２８へ向かう方向に延在する両側の傾斜面を与え、これらの傾斜面は、缶が図３と４に示されるように空とするための姿勢になった時に、特に図５に示すように各栓口２６、２８へ向かって缶内の液体を通過させる。
【００１６】
各ハウジング１８、２０の側方境界壁４０、４２と、各々のハウジングの底面３６、３８との間にある２つずつの移行部４４は、各々の栓口結合部２２、２４の側部に近接して延在しているので、例えば上部の両移行部４６の成す角度（α）が１４０°であるとすると、各側方境界壁４０、４２は下方の移行部４４と上方の移行部４６との間の角度の大きさにして約７０°程度の広がりとなる。従ってこの各々の角度の大きさは、一方で側方境界壁４０、４２と他方で溝３０の境界を定めている表面間の移行部７０の長さに対応する。移行部７０の長さはまた、缶を所定の姿勢で空にすることに関して落差も定め、従ってこの落差は、角度αの大きさを選ぶことによって決定することも可能である。１８０°を越える角度αは、缶を積み重ねる場合は積み重ね表面積が著しく縮小され、そのような状況下では栓口結合部が荷重支承機能を果たさなければならなくなって非常に危険であるので、通常は考えられないことである。
【００１７】
図２の右側に示されたハウジング２０の場合は、境界端壁３４からの２つの移行部４４が、缶の縁に向かってほぼ平行に延在し、この部分の縁において三方が壁で仕切られたハウジングが開放されている。ハウジングの開放に対する形態は図２の左側に示されたハウジング１８についても当てはまるが、但し、その側方境界壁の下部の両移行部４４は関連する端壁３２から始まって缶の縁に向かう方向で多少収斂し、それによって流動可能な中身の物質が、傾斜している側方境界壁４０、４２によって更に出口の栓口２５の近くに集まるようになっている。
【００１８】
図３に特に示すように、ハウジング１８の底面３６には、栓口結合部２２と缶の縁領域との間の領域に折り目５２が設けられており、この折り目５２はハウジングの底３６から上方に突出したビード即ち隆起部５４を形成している。このビード即ち隆起部５４に対応する溝５６がハウジング底面３６の内面側に形成される。折り目５２は、一方で缶の縁即ち持ち運びリング２８を担持する環状カラー５８と、他方で各々の栓口結合部２２、２４との間の変形領域を形成している。この変形領域は、少なくとも栓口結合部の領域に許容できない荷重が生じないように、缶の縁に栓口結合部へ向かって作用する力を吸収する役目を果たす。確かにこの作用は折り目の一時的な変形によって達成されるものであるが、衝突又は衝撃荷重が無くなると折り目が再び元の状態に戻るので、折り目の一時的変形は気にする必要はない。
【００１９】
缶１０は内部にほぼ径方向に延在する通路状の窪み６０（図３、５）も備えており、この窪みは折り目５２によって生じた溝５６から栓口結合部２２、２４の領域をほぼ径方向に通過して延在し、この缶が通常の姿勢では下部領域となる栓口結合部を介して各々の結合部で境界を定められた栓口２５、２６内に達している。この目的のため各栓口結合部２２或いは２４には、通常姿勢で下部領域となる縁部分に開口６２が設けられている。通路状の窪み６０は缶を更に高い度合いで空とすることを可能にするためのものであり、それによって栓口結合部と缶の縁との間の領域内に残留する内容物でさえも、適当な缶の揺動或いは傾動を補助的に行うことにより缶から流出させることができる。
【００２０】
図３に示すように、缶内の残留内容物を空にする作業の間、缶の内容物は例えば領域Ａから側面の好ましくは平らな壁４０、４２によって矢印６４で示す方向へ流れて、栓口結合部と缶の縁との間の領域Ｂに流入し、この領域Ｂから特に通路状の窪み６０を通過して各々の栓口結合部内へ流れ、栓口を介して缶から排出される。
【００２１】
以上に述べた形態によれば、ハウジングの両側壁は缶を空にする際に缶内の内容物を開口部へ向かって導くという付加的な機能を果たすものである。
【図面の簡単な説明】
【図１】  ２つの栓口結合部を有し、両方のハウジングが缶の内容物を空にするのに適合している栓付き缶の模式側面図である。
【図２】  図１の缶において、各々異なる形状の２つのハウジングを含む図１の缶の平面図である。
【図３】  図２のIII−III矢視断面図である。
【図４】  図２のIV−IV矢視断面図である。
【図５】  図３のV−V矢視断面図である。
【図６】  図２のVI−VI矢視断面図である。
【図１】
0004692864.tif 000002
【図２】
0004692864.tif 000003
【図３】
0004692864.tif 000004
【図４】
0004692864.tif 000005
【図５】
0004692864.tif 000006
【図６】
0004692864.tif 000007